【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
プラント無線アクセスポイント（ＰＷＡＰ）における、プロセスプラント内のプラントデバイスとフィールドコミュニケータとの間の通信の促進方法であって、
一つ以上のプロセッサによって、標準無線通信プロトコルに準拠してフィールドコミュニケータから受信したデータを、無線工業オートメーションプロトコルに準拠してエンコードすることによって、プラントデバイス用のエンコードされたデータをもたらすことと、
一つ以上のプロセッサによって、前記無線工業オートメーションプロトコルに準拠してプラントデバイスから受信したデータを、前記標準無線通信プロトコルに準拠してエンコードすることによって、フィールドコミュニケータ用のエンコードされたデータをもたらすことと、
一つ以上のプロセッサによって、前記プラントデバイス用のエンコードされたデータ及び前記フィールドコミュニケータ用のエンコードされたデータを、それぞれ、前記プラントデバイス及び前記フィールドコミュニケータに送信することによって、前記プラントデバイスと前記フィールドコミュニケータとの間の通信を促進することと、を含み、
前記標準無線通信プロトコルと前記無線工業オートメーションプロトコルとが異なるプロトコルである、通信の促進方法。
【請求項２】
一つ以上のプロセッサによって、前記標準無線通信プロトコルに従い前記フィールドコミュニケータと通信し、第二のプラントデバイスを、前記ＰＷＡＰ及び前記第二のプラントデバイスを含む無線ネットワーク内にプロビジョニングすることをさらに含み、
前記ＰＷＡＰ及び前記第二のプラントデバイスが、前記無線工業オートメーションプロトコルに従い前記無線ネットワークを通じて通信するように設定された、請求項１の通信の促進方法。
【請求項３】
一つ以上のプロセッサによって、（ｉ）前記フィールドコミュニケータと（ｉｉ）前記第二のプラントデバイスとの間の通信を促進することをさらに含む、請求項２の通信の促進方法。
【請求項４】
一つ以上のプロセッサによって、（ｉ）前記フィールドコミュニケータと（ｉｉ）プラントオートメーションネットワークとの間の通信を促進することをさらに含む、請求項１〜請求項３の何れか１項の通信の促進方法。
【請求項５】
前記無線工業オートメーションプロトコルが、
ハイウェイアドレス可能遠隔トランスデューサ（ＨＡＲＴ）プロトコルを含み、
前記標準無線通信プロトコルが、
無線パーソナルエリアネットワーク（ＰＡＮ）プロトコル、及び
無線ローカルエリアネットワーク（ＷＬＡＮ）プロトコルの一つ以上を含む、請求項１〜請求項４の何れか１項に記載の通信の促進方法。
【請求項６】
前記プラントデバイス用のエンコードされたデータ及び前記フィールドコミュニケータ用のエンコードされたデータを、それぞれ、前記プラントデバイス及び前記フィールドコミュニケータに送信する前記の行為が、
前記プラントデバイスを較正することと、
前記プラントデバイスを設定することと、
前記プラントデバイスにおいて診断を実行することと、
前記プラントデバイスに対応するソフトウェアをアップデートすることと、
前記プラントデバイスに対応するファームウェアをアップデートすることとの一つ以上を実行するために、前記プラントデバイス用のエンコードされたデータと前記フィールドコミュニケータ用のエンコードされたデータとを、前記プラントデバイスと前記フィールドコミュニケータとの間で交換することを含む、請求項１の通信の促進方法。
【請求項７】
前記プラントデバイスが、プロセス制御動作を実行するようにプラントオートメーションネットワークによって制御される制御ループの一部であり、前記フィールドコミュニケータと前記プラントオートメーションネットワークとの間の通信を促進する前記の行為が、
前記フィールドコミュニケータによる、ループ点検機能の一部として一つ以上の制御ループパラメータへのアクセスを促進することを含む、請求項１〜請求項６の何れか１項の通信の促進方法。
【請求項８】
一つ以上のプロセッサによって、前記ＰＷＡＰと相対的な前記フィールドコミュニケータの位置を決定することをさらに含む、請求項１〜請求項７の何れか１項に記載の通信の促進方法。
【請求項９】
標準無線通信プロトコルに準拠してフィールドコミュニケータからデータを受信するように設定された第一のネットワークインターフェースと、
無線工業オートメーションプロトコルに準拠してプラントデバイスからデータを受信するように設定された第二のネットワークインターフェースと、
無線工業オートメーションプロトコルに準拠して前記フィールドコミュニケータから受信した前記データをエンコードして、プラントデバイス用のエンコードされたデータをもたらし、かつ
前記標準無線通信プロトコルに準拠して前記プラントデバイスから前記受信した受信した前記データをエンコードして、フィールドコミュニケータ用のエンコードされたデータをもたらすように設定されたプロセッサと、を備えており、
前記第一のネットワークインターフェースが、前記フィールドコミュニケータ用のエンコードされたデータを前記フィールドコミュニケータに送信するようにさらに設定されており、
前記第二のネットワークインターフェースが、前記プラントデバイス用のエンコードされたデータを前記プラントデバイスに送信するようにさらに設定されており、
前記標準無線通信プロトコルと前記標準無線通信プロトコルとが異なるプロトコルである、プラント無線アクセスポイント。
【請求項１０】
前記無線工業オートメーションプロトコルが、
ハイウェイアドレス可能遠隔トランスデューサ（ＨＡＲＴ）プロトコルを含み、
前記標準無線通信プロトコルが、
無線パーソナルエリアネットワーク（ＰＡＮ）プロトコル、及び
無線ローカルエリアネットワーク（ＷＬＡＮ）プロトコルの一つ以上を含む、請求項９のプラント無線アクセスポイント。
【請求項１１】
前記プロセッサが、（ｉ）前記フィールドコミュニケータと（ｉｉ）プラントオートメーションネットワークとの間の通信を促進するように前記第一及び第二のネットワークインターフェースを制御するようにさらに設定された、請求項９又は請求項１０のプラント無線アクセスポイント。
【請求項１２】
前記プロセッサが、
前記プラントデバイスを較正することと、
前記プラントデバイスを設定することと、
前記プラントデバイスにおいて診断を実行することと、
前記プラントデバイスに対応するソフトウェアをアップデートすることと、
前記プラントデバイスに対応するファームウェアをアップデートすることとの一つ以上の前記フィールドコミュニケータによる実行を促進するように前記第一及び第二のネットワークインターフェースを制御するようにさらに設定された、請求項９〜請求項１１の何れか１項に記載のプラント無線アクセスポイント。
【請求項１３】
前記プラントデバイスが、プロセス制御動作を実行するようにプラントオートメーションネットワークによって制御される制御ループの一部であり、
前記プロセッサが、前記フィールドコミュニケータがループ点検機能の一部として一つ以上の制御ループパラメータにアクセスできるように前記第一及び第二のネットワークインターフェースを制御するようにさらに設定された、請求項９〜請求項１２の何れか１項に記載のプラント無線アクセスポイント。
【請求項１４】
前記プロセッサが、標準無線通信プロトコルに従う前記フィールドコミュニケータからの命令の受信時に、第二のプラントデバイスを、前記プラント無線アクセスポイント（ＰＷＡＰ）及び前記第二のプラントデバイスを含む無線ネットワーク内にプロビジョニングするようにさらに設定されており、
前記第二のネットワークインターフェースが、前記無線工業オートメーションプロトコルに従う前記プラント無線アクセスポイント（ＰＷＡＰ）と前記第二のプラントデバイスとの間の通信を提供するように設定された、請求項９〜請求項１３の何れか１項のプラント無線アクセスポイント。
【請求項１５】
プロセッサによって実行されたときに、前記プロセッサに、
標準無線通信プロトコルに準拠してフィールドコミュニケータからデータを受信させ、
無線工業オートメーションプロトコルに準拠してプラントデバイスからデータを受信させ、
無線工業オートメーションプロトコルに準拠して前記フィールドコミュニケータから受信した前記データをエンコードして、プラントデバイス用のエンコードされたデータをもたらさせ、
前記標準無線通信プロトコルに準拠して前記プラントデバイスから前記受信した受信した前記データをエンコードして、フィールドコミュニケータ用のエンコードされたデータをもたらさせ、ここで、前記標準無線通信プロトコルと前記標準無線通信プロトコルとが異なるプロトコルであり、
前記フィールドコミュニケータ用のエンコードされたデータを前記フィールドコミュニケータに送信させ、
前記プラントデバイス用のエンコードされたデータを前記プラントデバイスに送信させる、プロセスプラント内の前記プラントデバイスと前記フィールドコミュニケータとの間の通信を促進するための機械可読命令を記憶する非一時的有形コンピュータ可読媒体。
【請求項１６】
前記プロセッサによって実行されたときに、前記プロセッサに、
標準無線通信プロトコルに従う前記フィールドコミュニケータからの命令の受信時に、第二のプラントデバイスを、プラント無線アクセスポイント及び前記第二のプラントデバイスを含む無線ネットワーク内にプロビジョニングさせ、
前記無線工業オートメーションプロトコルに従う前記プラント無線アクセスポイントと前記第二のプラントデバイスとの間の通信を提供させる命令をさらに含む、請求項１５の非一時的有形コンピュータ可読媒体。